(57)【要約】【課題】コンピュータへの有線マイクロホン配置による使用上の不便を解決すること。【解決手段】コンピュータに無線音声信号発射装置の発射した無線信号を受信する無線音声信号受信モジュールが配置され、該無線音声信号受信モジュールは、モード選択装置を具え、モード選択装置により音声入力モードが選択される時、受信する無線信号がサウンドインタフェースに送られて音声信号とされ、該モード選択装置が命令入力モードに設定される時、受信した無線信号がコンピュータのバスに送られて命令信号とされる。本発明はコンピュータ装置に組み合わされて使用されてコンピュータ装置に無線音声信号受信の機能を具備させる。【選択図】        図１
2004234604.tif 000002
【特許請求の範囲】
【請求項１】
コンピュータ装置にサウンドインタフェースが設けられてコンピュータ装置のバスに連接され、該サウンドインタフェースに音声周波信号入力端が設けられた無線音声信号受信モジュールを配置したコンピュータ装置において、
該サウンドインタフェースの音声周波信号入力端が無線音声信号受信モジュールに連接されて少なくとも一つの無線音声信号発射装置の発射した無線信号を受信し、該無線音声信号受信モジュールにモード選択装置が設けられ、該モード選択装置が音声入力モードに設定される時、受信した無線信号が該サウンドインタフェースに送られて音声信号とされ、該モード選択装置が命令入力モードに設定される時、受信した無線信号がコンピュータ装置に送られて命令信号とされることを特徴とする、無線音声信号受信モジュールを配置したコンピュータ装置。
【請求項２】
請求項１に記載の無線音声信号受信モジュールを配置したコンピュータ装置において、該無線音声信号受信モジュールが、
無線音声信号発射装置の発射した無線信号をアンテナ装置を介して受信する無線信号受信回路と、
該無線信号受信回路の受信した無線信号をろ波及び増幅するろ波及び増幅回路と、
該ろ波及び増幅回路の送出する音声信号を復調し、並びに復調後の信号をモード選択装置に送る信号復調回路と、
該モード選択装置の送出する命令信号を増幅し並びにコンピュータ装置のバスに送る命令信号増幅回路と、
該モード選択装置の送出する音声信号を増幅し並びにコンピュータ装置のサウンドインタフェースに送る音声信号増幅回路と、
を具えたことを特徴とする、無線音声信号受信モジュールを配置したコンピュータ装置。
【請求項３】
請求項１に記載の無線音声信号受信モジュールを配置したコンピュータ装置において、該無線音声信号受信モジュールが信号復調回路に連接されて信号復調回路の復調した音声信号を固定チャンネル或いは周波数調整式となすチューナーを具えたことを特徴とする、無線音声信号受信モジュールを配置したコンピュータ装置。
【請求項４】
請求項３に記載の無線音声信号受信モジュールを配置したコンピュータ装置において、該無線音声信号受信モジュールが、信号復調回路に連接されて信号復調回路の復調した音声信号をデコードするデコードユニットを具えたことを特徴とする、無線音声信号受信モジュールを配置したコンピュータ装置。
【請求項５】
請求項１に記載の無線音声信号受信モジュールを配置したコンピュータ装置において、無線音声信号発射装置が、
音声信号を受信するマイクロホンと、
該マイクロホンの発生した音声信号をろ波及び増幅するろ波及び増幅回路と、
該ろ波及び増幅回路の発生した音声信号を受け取り並びにそれを変調する信号変調回路と、
該信号変調回路で変調した音声信号を増幅する増幅回路と、
該増幅回路で増幅した音声信号を受け取りアンテナ装置で無線信号として発射する信号発射回路と、
を具えたことを特徴とする、無線音声信号受信モジュールを配置したコンピュータ装置。
【請求項６】
請求項５に記載の無線音声信号受信モジュールを配置したコンピュータ装置において、無線音声信号発射装置が、信号変調回路に連接されて信号変調回路の変調した音声信号を固定チャンネル或いは周波数調整式とするチューナーを具えたことを特徴とする、無線音声信号受信モジュールを配置したコンピュータ装置。
【請求項７】
請求項５に記載の無線音声信号受信モジュールを配置したコンピュータ装置において、無線音声信号発射装置が、信号変調回路に連接されて信号変調回路の変調した音声信号をエンコードするエンコードユニットを具えたことを特徴とする、無線音声信号受信モジュールを配置したコンピュータ装置。
【請求項８】
請求項５に記載の無線音声信号受信モジュールを配置したコンピュータ装置において、無線音声信号発射装置の作業電源が電池により供給されることを特徴とする、無線音声信号受信モジュールを配置したコンピュータ装置。
【発明の詳細な説明】
【０００１】
【発明の属する技術分野】
本発明は一種のコンピュータ装置の音声信号装置に係り、特に無線音声信号受信モジュールを配置したコンピュータ装置に関する。
【０００２】
【従来の技術】
コンピュータ設備は各種の工業、商業、オフィス、教室、及び家庭に普及している。コンピュータ装置にオーディオビデオ装置が結合されることにより、基本的なマルチメディア装置が形成され、このマルチメディア装置は使用者に音声及び画像信号再生の娯楽性及び実用性を享受させる。該マルチメディア装置にノートブック型パソコンの携帯機能を組み合わせれば、モバイル式マルチメディア再生の機能を発揮できる。
【０００３】
現在使用されているほとんどのデスクトップ型或いはノートブック型コンピュータは、マルチメディアオーディオビデオ信号の再生のために、ディスプレイ及びスピーカにより画像表示とサウンド再生を行っている。そのうち音声受信方面では、いずれも有線式マイクロホンが配置されている。例えば特許文献１では、ノートブック型コンピュータ音声入力装置が提示され、それはノートブック型コンピュータの上方前端或いは前面に長条状のロッド溝が設けられ、その一端にコネクタが設けられて配線でコンピュータに連接され、且つ配線で音声入力器に連接され、音声入力器は即ち長条状の支持ロッドの末端にマイクロホンを連結し、別端に支持座を設けてなり、該支持座がロッド溝の配線コネクタ部分に連結されている。また、特許文献２には音声入力可能なコンピュータキーボードが提示され、それはキーボードにフレキシブルな連接棒が設けられ、その一端にマイクロホンが連結され、別端がキーボードの前端に連結されている。
【０００４】
その他の特許構造設計として、マイクロホンがコンピュータのその他の機能に結合された設計があり、例えば特許文献３にはラジオ、マイクロホン及びマウス機能を具えたコンピュータ周辺装置が提示され、そのマイクロホン回路は音声処理ユニットに連接され、該マイクロホン回路が音声をキャプチャし、並びに音声処理ユニットで処理後に、さらにＵＳＢコントロールインタフェースを透過してコンピュータで音声に変換し出力する。また、特許文献４にはコンピュータマウスとマイクロホンを組み合わせた構造が提示され、それはコンピュータマウスのケーシング内部に音声データを受信するマイクロホンが取り付けられ、該コンピュータマウスによりコンピュータカーソルを制御でき、マイクロホンにより音声データをコンピュータに入力できる。
【０００５】
【特許文献１】
台湾実用新案公告第２６８６３１号明細書
【特許文献２】
台湾実用新案公告第２７９５２２号明細書
【特許文献３】
台湾実用新案公告第４３８００３号明細書
【特許文献４】
台湾特許公告第２４７９５０号明細書
【０００６】
【発明が解決しようとする課題】
上述の従来の技術には、有線式マイクロホンをコンピュータ装置に結合させた構造のみが提示され、コンピュータ装置と無線式マイクロホンを整合させた設計は提示されていない。現在使用されているデスクトップ型コンピュータ或いはノートブック型コンピュータ中には有線式マイクロホンを支援した設計はあるが、コンピュータ装置と無線式マイクロホンを整合させた製品は見られない。ゆえに使用者がコンピュータ装置のマイクロホン機能を使用する時は、その活動範囲が該マイクロホンの導線の長さ範囲内に制限され、手を挙げたり足を投げる動作に注意を払わなければ、不注意から線を切断したり、或いは歌唱したり録音する楽しみを妨害することになる。
【０００７】
ゆえに、本発明の主要な目的は、前述の従来の技術の欠点を解決し、無線音声信号受信モジュールを配置したコンピュータ装置を提供してコンピュータ装置に有線式マイクロホンを配置する時の使用上の制限の問題を解決することにある。
【０００８】
本発明の別の目的は、無線式マイクロホンにより音声信号或いは命令信号を入力できるコンピュータ装置を提供し、コンピュータ装置にマルチメディア音声入力機能を具備させるほか、音声命令制御の機能を具備させることにある。
【０００９】
【課題を解決するための手段】
請求項１の発明は、コンピュータ装置にサウンドインタフェースが設けられてコンピュータ装置のバスに連接され、該サウンドインタフェースに音声周波信号入力端が設けられた無線音声信号受信モジュールを配置したコンピュータ装置において、
該サウンドインタフェースの音声周波信号入力端が無線音声信号受信モジュールに連接されて少なくとも一つの無線音声信号発射装置の発射した無線信号を受信し、該無線音声信号受信モジュールにモード選択装置が設けられ、該モード選択装置が音声入力モードに設定される時、受信した無線信号が該サウンドインタフェースに送られて音声信号とされ、該モード選択装置が命令入力モードに設定される時、受信した無線信号がコンピュータ装置に送られて命令信号とされることを特徴とする、無線音声信号受信モジュールを配置したコンピュータ装置としている。
請求項２の発明は、請求項１に記載の無線音声信号受信モジュールを配置したコンピュータ装置において、該無線音声信号受信モジュールが、
無線音声信号発射装置の発射した無線信号をアンテナ装置を介して受信する無線信号受信回路と、
該無線信号受信回路の受信した無線信号をろ波及び増幅するろ波及び増幅回路と、
該ろ波及び増幅回路の送出する音声信号を復調し、並びに復調後の信号をモード選択装置に送る信号復調回路と、
該モード選択装置の送出する命令信号を増幅し並びにコンピュータ装置のバスに送る命令信号増幅回路と、
該モード選択装置の送出する音声信号を増幅し並びにコンピュータ装置のサウンドインタフェースに送る音声信号増幅回路と、
を具えたことを特徴とする、無線音声信号受信モジュールを配置したコンピュータ装置としている。
請求項３の発明は、請求項１に記載の無線音声信号受信モジュールを配置したコンピュータ装置において、該無線音声信号受信モジュールが信号復調回路に連接されて信号復調回路の復調した音声信号を固定チャンネル或いは周波数調整式となすチューナーを具えたことを特徴とする、無線音声信号受信モジュールを配置したコンピュータ装置としている。
請求項４の発明は、請求項３に記載の無線音声信号受信モジュールを配置したコンピュータ装置において、該無線音声信号受信モジュールが、信号復調回路に連接されて信号復調回路の復調した音声信号をデコードするデコードユニットを具えたことを特徴とする、無線音声信号受信モジュールを配置したコンピュータ装置としている。
請求項５の発明は、請求項１に記載の無線音声信号受信モジュールを配置したコンピュータ装置において、無線音声信号発射装置が、
音声信号を受信するマイクロホンと、
該マイクロホンの発生した音声信号をろ波及び増幅するろ波及び増幅回路と、
該ろ波及び増幅回路の発生した音声信号を受け取り並びにそれを変調する信号変調回路と、
該信号変調回路で変調した音声信号を増幅する増幅回路と、
該増幅回路で増幅した音声信号を受け取りアンテナ装置で無線信号として発射する信号発射回路と、
を具えたことを特徴とする、無線音声信号受信モジュールを配置したコンピュータ装置としている。
請求項６の発明は、請求項５に記載の無線音声信号受信モジュールを配置したコンピュータ装置において、無線音声信号発射装置が、信号変調回路に連接されて信号変調回路の変調した音声信号を固定チャンネル或いは周波数調整式とするチューナーを具えたことを特徴とする、無線音声信号受信モジュールを配置したコンピュータ装置としている。
請求項７の発明は、請求項５に記載の無線音声信号受信モジュールを配置したコンピュータ装置において、無線音声信号発射装置が、信号変調回路に連接されて信号変調回路の変調した音声信号をエンコードするエンコードユニットを具えたことを特徴とする、無線音声信号受信モジュールを配置したコンピュータ装置としている。
請求項８の発明は、請求項５に記載の無線音声信号受信モジュールを配置したコンピュータ装置において、無線音声信号発射装置の作業電源が電池により供給されることを特徴とする、無線音声信号受信モジュールを配置したコンピュータ装置としている。
【００１０】
【発明の実施の形態】
本発明が周知の技術の問題を解決するために採用する技術手段は以下のとおりである。本発明によると、コンピュータ中に無線音声信号受信モジュールが配置され、該無線音声信号受信モジュールが少なくとも一つの無線音声信号発射装置より発射された無線信号を受信し、該無線音声信号受信モジュール中にモード選択装置が設けられ、該モード選択装置により音声入力モードが選択されると、受信された無線信号がサウンドインタフェースに送られて音声信号とされ、該モード選択装置が命令入力モードに設定される時、受信した無線信号がコンピュータのバスに送られて命令信号とされる。該無線音声信号受信モジュールは、アンテナ装置、無線信号受信回路、ろ波及び増幅回路、信号復調回路、命令信号増幅回路、音声信号増幅回路、チューナー及びデコードユニットを具えている。該無線音声信号発射装置はマイクロホン、ろ波及び増幅回路、信号変調回路、増幅回路、信号発射回路、アンテナ装置、及び、チューナー及びエンコードユニットを具えている。
【００１１】
本発明の採用する技術手段を透過し、コンピュータ装置は無線音声信号受信の機能を具備し、コンピュータ装置に配置されたマイクロホンが有線式マイクロホンの導線による使用上の制限を排除する。該無線マイクロホンより入力される音声信号はコンピュータ装置のデータ保存装置に保存される。さらに、本発明の構造により無線音声信号受信と命令制御機能を具えたコンピュータ装置が形成され、該コンピュータ装置の無線音声信号受信モジュールの有効距離内であれば、無線マイクロホンで音声信号の入力が行え、また、命令モードでは制御命令信号の入力装置とされ、コンピュータの使用を更に簡便とする。
【００１２】
【実施例】
図１は本発明の好ましい実施例中の無線音声信号受信モジュールを配置したコンピュータ装置のシステムブロック図である。コンピュータ装置１にはＣＰＵ１１０、メインメモリ１１１、ブリッジ１１２、ディスプレイインタフェース１１３、ディスプレイ１１４が設けられている。ＣＰＵ１１０とメインメモリ１１１はコンピュータ装置１のシステムバス１２１に連接され、該システムバス１２１はさらにブリッジ１１２を透過してＰＣＩ／ＩＳＡバス１２２に連接されている。該ディスプレイインタフェース１１３はコンピュータ装置１のＰＣＩ／ＩＳＡバス１２２に連接され、該ディスプレイ１１４にディスプレイインタフェース１１３を透過してコンピュータ装置１の伝送する画像信号を表示させる。マルチメディア機能を具えたコンピュータ装置１のＰＣＩ／ＩＳＡバス１２２はオーディオビデオ装置インタフェース１１５を介して、オーディオビデオ装置１１６に連接される。該ＰＣＩ／ＩＳＡバス１２２はまたハードディスク１１８にハードディスクインタフェース１１７を介して連接されている。
【００１３】
サウンドインタフェース１１９はコンピュータ装置１のＰＣＩ／ＩＳＡバス１２２に連接される。サウンドインタフェース１１９は音声周波信号入力端を具え、受信したサウンド信号を該ＰＣＩ／ＩＳＡバス１２２を透過して該コンピュータ装置１に伝送し、該サウンド信号が該ハードディスク１１８に保存される。
【００１４】
該コンピュータ装置１には無線音声信号受信モジュール２が配置され、それは該サウンドインタフェース１１９に連接されている。該無線音声信号受信モジュール２は音声信号出力端を具え、該音声信号出力端は音声信号Ｓ１をサウンドインタフェース１１９を介してコンピュータ装置１に伝送するのに用いられる。このほか、該無線音声信号受信モジュール２はさらに命令信号出力端を具え、該命令信号出力端は命令信号Ｓ２をコンピュータ装置１のＰＣＩ／ＩＳＡバス１２２に伝送するのに使用される。
【００１５】
該無線音声信号受信モジュール２は無線音声信号発射装置３の発射した無線信号を受信する。該無線音声信号受信モジュール２が受信する無線信号は一般に音声信号とされ、即ちその音声信号出力端より音声信号Ｓ１がサウンドインタフェース１１９を介してコンピュータ装置１に伝送される。無線音声信号受信モジュール２の受信した無線信号が命令信号である時、命令信号出力端より対応する命令信号Ｓ２がコンピュータ装置１のＰＣＩ／ＩＳＡバス１２２に送られる。
【００１６】
図２は図１中の無線音声信号受信モジュール２の回路機能ブロック図である。該無線音声信号受信モジュール２の回路は、アンテナ装置２１、無線信号受信回路２２、ろ波及び増幅回路２３、信号復調回路２４、チューナー２５、デコードユニット２６、モード選択装置２７、命令信号増幅回路２８２、音声信号増幅回路２８１を具えている。
【００１７】
該アンテナ装置２１は無線音声信号発射装置３の発射した無線信号を受け取る。該アンテナ装置２１の受信した無線信号が無線信号受信回路２２に送られた後、ろ波及び増幅回路２３が雑音のろ波と信号の増幅を行なう。増幅された音声信号はさらに信号復調回路２４で復調される。
【００１８】
該信号復調回路２４にはチューナー２５或いはチューニングボタンが付設されて、使用者が復調した音声信号を固定チャネル或いは周波数変調式とするのに供され、これにより無線音声信号発射装置３中のチューナーの設定に組み合わされる（後述する）。該信号復調回路２４にはまたデコードユニット２６が付設されて、無線音声信号発射装置３中のデコードユニットのエンコード機能が組み合わされて対応信号デコードの機能を達成する。
【００１９】
デコード済の音声信号はモード選択装置２７に送られて経路の選択が行われる。モード選択装置２７が音声入力モードに設定される時、音声信号は音声信号の経路に送られ、音声信号増幅回路２８１に送られた後、音声信号Ｓ１が送出される。モード選択装置２７が命令入力モードに設定される時、音声信号は命令信号の経路に送られ、命令信号増幅回路２８２に送られた後に、命令信号Ｓ２が送出される。
【００２０】
該無線音声信号受信モジュール２中の各電子装置の必要な作業電源Ｖｃｃはコンピュータ装置１の電源供給器或いはバス中の電源ピンより取得され、且つスイッチ２９で無線音声信号受信モジュール２のオン或いはオフの機能が達成される。
【００２１】
図３は図１中の無線音声信号発射装置３の回路機能ブロック図である。該無線音声信号発射装置３の回路は、アンテナ装置３１、マイクロホン３２、ろ波及び増幅回路３３、信号変調回路３４、チューナー３５、エンコードユニット３６、増幅回路３７、無線信号発射回路３８を具えている。そのうちマイクロホン３２が音声信号を受信する時、該音声信号はまずろ波及び増幅回路３３で雑音のろ波と信号の増幅が行われる。増幅された音声信号は信号変調回路３４に送られ、音声信号の変調が行われる。
【００２２】
該信号変調回路３４にはチューナー３５或いはチューニングボタンが付設されて、使用者が復調した音声信号を固定チャネル或いは周波数変調式とするのに供され、隣り合うマイクロホンの間の相互干渉の状況を防止する。該信号変調回路３４にはまたエンコードユニット３６が付設され（或いはエンコードユニット）、必要時に使用者は該エンコードユニット３６によりエンコード機能を起動できる。使用者が該エンコードユニット３６のエンコード機能を起動する時、無線音声信号受信モジュール２のデコードユニットを起動することにより信号の解読が行える。
【００２３】
該信号変調回路３４の発生する変調音声信号はさらに増幅回路３７に送られて信号の増幅が行われる。その後、増幅された信号がさらに無線信号発射回路３８に送られ、信号がＲＦ信号に変換され、並びにアンテナ装置３１より無線信号が発射される。該アンテナ装置３１が発射する信号の有効距離は例えば３０ｍ以内に設定される。
【００２４】
該無線音声信号発射装置３中の各電子装置に必要な作業電源は電池３９により供給され、且つスイッチ３９１により該無線音声信号発射装置３のオン或いはオフが制御される。
【００２５】
以上の本発明の構造により、無線音声信号受信モジュール２が無線音声信号発射装置３の発射するマイクロホン無線信号を受信する時、モード選択装置２７のモード設定状況により該無線信号がコンピュータ装置１に送られ、モード選択装置２７が音声入力モードに設定された時、該無線音声信号受信モジュール２は音声信号Ｓ１をコンピュータ装置１のサウンドインタフェース１１９に送り、サウンドインタフェース１１９より該音声信号がハードディスク１１８に保存される。モード選択装置２７が命令入力モードに設定される時、該無線音声信号受信モジュール２が命令信号Ｓ２をコンピュータ装置１のＰＣＩ／ＩＳＡバス１２２に送る。該コンピュータ装置１が該命令信号Ｓ２を受け取った時、例えばコンピュータ装置１のハードディスク１１８中の周知の音声識別プログラムとそれに組み合わされた音声命令データベースにより、この命令信号の対応制御命令を識別する。
【００２６】
【発明の効果】
本発明の設計により、本発明は無線方式で音声信号を入力でき、有線式マイクロホンの使用制限を突破するほか、無線式命令入力の機能を達成する。ゆえに本発明は確実に高度の産業上の利用価値を有する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の実施例の無線音声信号受信モジュールを配置したコンピュータ装置の全体システムブロック図である。
【図２】図１中の無線音声信号受信モジュールの回路機能ブロック図である。
【図３】図１中の無線音声信号発射装置の回路機能ブロック図である。
【符号の説明】
１  コンピュータ装置
１１０  ＣＰＵ
１１１  メインメモリ
１１２  ブリッジ
１１３  ディスプレイインタフェース
１１４  ディスプレイ
１１５  オーディオビデオ装置インタフェース
１１６  オーディオビデオ装置
１１７  ハードディスクインタフェース
１１８  ハードディスク
１１９  サウンドインタフェース
１２１  システムバス
１２２  ＰＣＩ／ＩＳＡバス
２  無線音声信号受信モジュール
２１  アンテナ装置
２２  無線信号受信回路
２３  ろ波及び増幅回路
２４  信号復調回路
２５  チューナー
２６  デコードユニット
２７  モード選択装置
２８１  音声信号増幅回路
２８２  命令信号増幅回路
２９  スイッチ
３  無線音声信号発射装置
３１  アンテナ装置
３２  マイクロホン
３３  ろ波及び増幅回路
３４  信号変調回路
３５  チューナー
３６  エンコードユニット
３７  増幅回路
３８  無線信号発射回路
３９  電池
３９１  スイッチ
Ｓ１  音声信号
Ｓ２  命令信号
Ｖｃｃ  作業電源
【図１】
2004234604.tif 000003
【図２】
2004234604.tif 000004
【図３】
2004234604.tif 000005